【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
被写界を捉える撮像面を有する撮像手段、
撮像条件を調整する調整手段、
記録操作に応答して前記撮像面で捉えられた被写界像を記録媒体に記録する第１記録手段、および
前記調整手段による調整の後、既定条件が満足されたとき前記撮像面で捉えられた被写界像を前記記録操作を待つことなく前記記録媒体に記録する第２記録手段を備え、
前記既定条件は、人物の顔画像が前記撮像面の既定領域に所定期間属することである、電子カメラ。
【請求項２】
被写界を捉える撮像面を有する撮像手段、
記録操作に応答して前記撮像面で捉えられた被写界像を記録媒体に記録する第１記録手段、
既定条件が満足されたとき前記撮像面で捉えられた被写界像を前記記録操作を待つことなく前記記録媒体に記録する第２記録手段、
前記第１記録手段によって記録された被写界像を第１フォルダに登録する第１登録手段、および
前記第２記録手段によって記録された被写界像を第２フォルダに登録する第２登録手段をさらに備える、電子カメラ。
【請求項３】
被写界を捉える撮像面を有する撮像手段、
条件調整操作が実行されたとき撮像条件を調整する調整手段、
前記条件調整操作の後に実行される記録操作に応答して前記撮像面で捉えられた被写界像を記録媒体に記録する第１記録手段、および
既定条件が満足されたとき前記撮像面で捉えられた被写界像を前記記録操作を待つことなく前記記録媒体に記録する第２記録手段を備え、
前記既定条件は、前記条件調整操作が実行中であるという操作条件、および人物の顔画像が前記撮像面の既定領域に属するという画像条件を含む複数の条件の論理積である、電子カメラ。
【請求項４】
前記複数の条件は、前記人物の顔画像が前記既定領域に属する時間が閾値に達したという時間条件をさらに含む、請求項３記載の電子カメラ。
【請求項５】
前記撮像面で捉えられた被写界像のうち前記既定領域に対応する探索領域に属する被写界像のみを対象として人物の顔の特徴画像を探索する探索手段、および
前記既定条件が満足されないとき前記探索手段の探索処理を停止させる停止手段をさらに備える、請求項１ないし４のいずれかに記載の電子カメラ。
【請求項６】
前記条件調整操作はシャッタボタンの半押しに相当し、前記記録操作は前記シャッタボタンの全押しに相当する、請求項３ないし５のいずれかに記載の電子カメラ。
【請求項７】
前記既定領域は前記撮像面の中央上寄りに位置する、請求項１ないし６のいずれかに記載の電子カメラ。
【請求項８】
前記既定領域に沿った枠画像を表示する枠表示手段をさらに備える、請求項１ないし７のいずれかに記載の電子カメラ。
【請求項９】
前記第１記録手段によって記録された被写界像の識別子を第１フォルダに登録する第１登録手段、および
前記第２記録手段によって記録された被写界像の識別子を第２フォルダに登録する第２登録手段をさらに備える、請求項１、及び３ないし８のいずれかに記載の電子カメラ。
【請求項１０】
前記撮像手段はイメージセンサであり、前記撮像面は前記イメージセンサの受光面である、請求項１ないし９のいずれかに記載の電子カメラ。
【請求項１１】
被写界を捉える撮像面を有する撮像手段を備えた電子カメラのプロセサに、
被写界を捉える撮像面を有する撮像ステップ、
条件調整操作が実行されたとき撮像条件を調整する調整ステップ、
前記条件調整操作の後に実行される記録操作に応答して前記撮像面で捉えられた被写界像を記録媒体に記録する第１記録ステップ、および
既定条件が満足されたとき前記撮像面で捉えられた被写界像を前記記録操作を待つことなく前記記録媒体に記録する第２記録ステップを実行させ、
前記既定条件は、前記条件調整操作が実行中であるという操作条件、および人物の顔画像が前記撮像面の既定領域に属するという画像条件を含む複数の条件の論理積である、記録制御プログラム。
【請求項１２】
被写界を捉える撮像面を有する撮像手段を備えた電子カメラによって実行される記録制御方法であって、
被写界を捉える撮像面を有する撮像ステップ、
条件調整操作が実行されたとき撮像条件を調整する調整ステップ、
前記条件調整操作の後に実行される記録操作に応答して前記撮像面で捉えられた被写界像を記録媒体に記録する第１記録ステップ、および
既定条件が満足されたとき前記撮像面で捉えられた被写界像を前記記録操作を待つことなく前記記録媒体に記録する第２記録ステップを備え、
前記既定条件は、前記条件調整操作が実行中であるという操作条件、および人物の顔画像が前記撮像面の既定領域に属するという画像条件を含む複数の条件の論理積である、記録制御方法。
【手続補正２】
【補正対象書類名】明細書
【補正対象項目名】０００６
【補正方法】変更
【補正の内容】
【０００６】
請求項１の発明に従う電子カメラ(10)は、被写界を捉える撮像面(14f)を有する撮像手段(14)、撮像条件を調整する調整手段(S13,S15)、
記録操作に応答して撮像面で捉えられた被写界像を記録媒体(46)に記録する第１記録手段(S17,S27)、および調整手段による調整の後、既定条件が満足されたとき撮像面で捉えられた被写界像を記録操作を待つことなく記録媒体に記録する第２記録手段(S19,S27)を備え、既定条件は、人物の顔画像が撮像面の既定領域に所定期間属することである。
請求項２の発明に従う電子カメラ(10)は、被写界を捉える撮像面(14f)を有する撮像手段(14)、記録操作に応答して撮像面で捉えられた被写界像を記録媒体(46)に記録する第１記録手段(S17,S27)、既定条件が満足されたとき撮像面で捉えられた被写界像を記録操作を待つことなく記録媒体に記録する第２記録手段(S19,S27)、第１記録手段によって記録された被写界像を第１フォルダに登録する第１登録手段(S79)、および第２記録手段によって記録された被写界像を第２フォルダに登録する第２登録手段(S77)をさらに備える。
請求項３の発明に従う電子カメラ(10)は、被写界を捉える撮像面(14f)を有する撮像手段(14)、条件調整操作が実行されたとき撮像条件を調整する調整手段(S13,S15)、条件調整操作の後に実行される記録操作に応答して撮像面で捉えられた被写界像を記録媒体(46)に記録する第１記録手段(S17,S27)、および既定条件が満足されたとき撮像面で捉えられた被写界像を記録操作を待つことなく記録媒体に記録する第２記録手段(S19,S27)を備え、既定条件は、条件調整操作が実行中であるという操作条件、および人物の顔画像が撮像面の既定領域に属するという画像条件を含む複数の条件の論理積である。
【手続補正３】
【補正対象書類名】明細書
【補正対象項目名】０００９
【補正方法】変更
【補正の内容】
【０００９】
請求項３の発明によれば、複数の条件に操作条件を含めたことで、第２記録手段の記録処理の実行タイミングを所望の期間内に制限でき、自然な表情の記録が可能となる。また、複数の条件に画像条件を含めたことで、被写界像に占める顔画像の位置を制限できる。例えば既定領域を撮像面の中央上寄りに配置すれば、顔画像は被写界像の中央上寄り部分を占める結果となる。こうして、顔画像を含む被写界像を的確に記録できる。
【手続補正４】
【補正対象書類名】明細書
【補正対象項目名】００１０
【補正方法】変更
【補正の内容】
【００１０】
請求項４の発明に従う電子カメラは、請求項３に従属し、複数の条件は、人物の顔画像が既定領域に属する時間が閾値に達したという時間条件をさらに含む。これによって、被写界ぶれを防止できる。
【手続補正５】
【補正対象書類名】明細書
【補正対象項目名】００１１
【補正方法】変更
【補正の内容】
【００１１】
請求項５の発明に従う電子カメラは、請求項１ないし４のいずれかに従属し、撮像面で捉えられた被写界像のうち既定領域に対応する探索領域(E)に属する被写界像のみを対象として人物の顔の特徴画像を探索する探索手段(S43,S47,S49)、および既定条件が満足されないとき探索手段の探索処理を停止させる停止手段(S45)をさらに備える。
【手続補正６】
【補正対象書類名】明細書
【補正対象項目名】００１４
【補正方法】変更
【補正の内容】
【００１４】
請求項６の発明に従う電子カメラは、請求項３ないし５のいずれかに従属し、条件調整操作はシャッタボタン(28s)の半押しに相当し、記録操作はシャッタボタンの全押しに相当する。この場合、全押し操作に起因する手ブレの発生頻度を低減できる。
【手続補正７】
【補正対象書類名】明細書
【補正対象項目名】００１５
【補正方法】変更
【補正の内容】
【００１５】
請求項７の発明に従う電子カメラは、請求項１ないし６のいずれかに従属し、既定領域は撮像面の中央上寄りに位置する。これにより、ポートレート撮影に適した記録が行える。
【手続補正８】
【補正対象書類名】明細書
【補正対象項目名】００１６
【補正方法】変更
【補正の内容】
【００１６】
請求項８の発明に従う電子カメラは、請求項１ないし７のいずれかに従属し、既定領域に沿った枠画像を表示する枠表示手段(S3)をさらに備える。
【手続補正９】
【補正対象書類名】明細書
【補正対象項目名】００１８
【補正方法】変更
【補正の内容】
【００１８】
請求項９の発明に従う電子カメラは、請求項１、及び３ないし８のいずれかに従属し、第１記録手段によって記録された被写界像の識別子を第１フォルダに登録する第１登録手段(S79)、および第２記録手段によって記録された被写界像の識別子を第２フォルダに登録する第２登録手段(S77)をさらに備える。
【手続補正１０】
【補正対象書類名】明細書
【補正対象項目名】００２０
【補正方法】変更
【補正の内容】
【００２０】
請求項１０の発明に従う電子カメラは、請求項１ないし９のいずれかに従属し、撮像手段はイメージセンサであり、撮像面はイメージセンサの受光面である。
【手続補正１１】
【補正対象書類名】明細書
【補正対象項目名】００２１
【補正方法】変更
【補正の内容】
【００２１】
請求項１１の発明に従う記録制御プログラムは、被写界を捉える撮像面(14f)を有する撮像手段(14)を備えた電子カメラ(10)のプロセサ(24)に、条件調整操作が実行されたとき撮像条件を調整する調整ステップ(S13,S15)、条件調整操作の後に実行される記録操作に応答して撮像面で捉えられた被写界像を記録媒体(46)に記録する第１記録ステップ(S17,S27)、および既定条件が満足されたとき撮像面で捉えられた被写界像を記録操作を待つことなく記録媒体に記録する第２記録ステップ(S19,S27)を実行させる。既定条件は、条件調整操作が実行中であるという操作条件、および人物の顔画像が撮像面の既定領域に属するという画像条件を含む複数の条件の論理積である。
【手続補正１２】
【補正対象書類名】明細書
【補正対象項目名】００２２
【補正方法】変更
【補正の内容】
【００２２】
請求項１２の発明に従う記録制御方法は、被写界を捉える撮像面(14f)を有する撮像手段(14)を備えた電子カメラ(10)のプロセサ(24)によって実行される記録制御方法であって、条件調整操作が実行されたとき撮像条件を調整する調整ステップ(S13,S15)、条件調整操作の後に実行される記録操作に応答して撮像面で捉えられた被写界像を記録媒体(46)に記録する第１記録ステップ(S17,S27) 、および既定条件が満足されたとき撮像面で捉えられた被写界像を記録操作を待つことなく記録媒体に記録する第２記録ステップ(S19,S27) を備え、既定条件は、条件調整操作が実行中であるという操作条件、および人物の顔画像が撮像面の既定領域に属するという画像条件を含む複数の条件の論理積である。